(57)【要約】【課題】瓶蓋を迅速且つ安全に開栓する栓抜きを提供する。【解決手段】握り手２、キャップ３及び栓抜き部より構成され、握り手内には仕切壁２０、底には瓶首を挿通する下環蓋２３、上には上蓋２２を設ける。キャップは、握り手内に設けられたスライドレールに沿って上下に滑動可能に構成され、瓶首を下環蓋を挿通して瓶蓋Ａを瓶蓋接合面３６に押し当てて、握り手を押下げるとキャップの枢軸４００によりリンク機構を構成する栓抜き部の駆動部４０が該仕切壁によって押下げられて、リンク機構により抜栓部４１のフック部４１１を引き上げて瓶蓋に係合してこれを押し上げることにより、開栓する。【選択図】図３
0003116847.tif 000002
【実用新案登録請求の範囲】
【請求項１】
握り手、キャップ及び栓抜き部より構成され、
該握り手は、内側壁に縦方向に突出した仕切壁及びスライドレールを設けると共に、底には瓶首を挿通する開口を形成した下環蓋を設け、さらに上端には上蓋を設けてなり、
該キャップは、キャップ側面のスライド溝を握り手のスライドレールに嵌合して上下に滑動可能とすると共に、下方の係止部を該下環蓋の係止縁に当接してなり、
該栓抜き部は、キャップ内に設けられてリンク機構を構成する駆動部と抜栓部から成り、
該駆動部の１端を該仕切壁下端に当接すると共にその他端を抜栓部一端とリンクしてその他端にフックを設けた抜栓部をキャップの昇降に伴って上下方向に駆動可能とし、
瓶首を該下環蓋開口に挿通して、握り手を押下げることにより該フックを瓶蓋に係合させて引き上げ、開栓するように構成したことを特徴とする、栓抜き。
【考案の詳細な説明】
【技術分野】
【０００１】
本考案は、栓抜きに関するものであり、特徴としては握り手、キャップ及び栓抜き部分より構成され、その握り手内には仕切壁、スライドレールを設け、底には下環蓋を設け、キャップは握り手内を滑動でき、下環蓋の係止縁に組み合せ、キャップのもう一端は通孔を開け、駆動部と抜栓部を組み合わせた栓抜き部分をキャップ内に設置、駆動部の一端は握り手内の仕切壁底部へ当て、駆動部上のフックへばねを引っ掛け、ばねのもう一端はキャップの勾孔へ通し固定、抜栓部と駆動部をキャップ通孔内へ組み込み、抜栓部のフックにて瓶蓋をフックする。このようにして、迅速且つ安全な栓抜きの開栓を構成する。
【背景技術】
【０００２】
公知の栓抜き１は、図１に示すように、栓抜き１には鋭利な先端１１が有り、使用者を操作時に不注意で怪我をさせる危険性がある。
【特許文献１】特開平10-120310
【考案の開示】
【考案が解決しようとする課題】
【０００３】
本考案では、操作し易く、簡単且つ安全な栓抜きを提供することを目的とする。
【課題を解決するための手段】
【０００４】
上述の目的を達成するため、本考案は、特徴として握り手、キャップ及び栓抜き部分より構成され、その握り手内には仕切壁、スライドレールを設け、底には下環蓋を設置、上には上蓋を設置する。キャップは握り手内を滑動でき、下方の係止部は下環蓋の係止縁上に組み合い、キャップ側面のスライド溝は握り手のスライドレールに組み込める。キャップのもう一端は通孔を開け、通孔の片側には勾孔を設け、反対側には切り口及びラッチ溝を設ける。栓抜き部分は、キャップ内に設置される駆動部と抜栓部から成り、駆動部片側の先端部を握り手の底部へ添え、又、駆動部の上面に設けられたフックへねじの一端をかけ、ねじのもう一端はキャップの勾孔に取り付ける。抜栓部と駆動部の組合せをキャップ内の通孔へ組み込み、抜栓部内には小ねじを設置、その一端は、抜栓部に固定、もう一端は、キャップの内壁へ連結、よって抜栓部が未駆動時に瓶蓋への圧力を維持する。
【考案の効果】
【０００５】
本考案の栓抜きは、握り手、キャップ及び栓抜き部分より構成され、その握り手内には仕切壁、スライドレールを設け、底には下環蓋を設けて、キャップは握り手内を滑動でき、下環蓋の係止縁に組み合せ、キャップのもう一端は通孔を開け、駆動部と抜栓部を組み合わせた栓抜き部分をキャップ内に設置、駆動部の一端は握り手内の仕切壁底部へあて、駆動部上のフックへばねを引っ掛け、ばねのもう一端はキャップの勾孔へ通し固定、抜栓部と駆動部をキャップ通孔内へ組み込み、駆動部と連動する抜栓部にて瓶蓋をフックする。このようにして、迅速且つ安全な開栓を達成する。
【考案を実施するための最良の形態】
【０００６】
以下、本考案の栓抜きの実施例を図面に基づいて説明する。
先ず、図２に示すように、本考案は、主に握り手２、握り手２の内壁に沿って設置される仕切壁２０、スライドレール２１、握り手２の上部に被せる上蓋２２、握り手２の底に取り付ける下環蓋２３、及び下環蓋２３上に設けられる係止縁２３０より構成され、キャップ３は、握り手２内を滑動でき、キャップ３下部に設けられる係止部３０は下環蓋２３の係止縁２３０上へ嵌め込む。又、キャップ３側面上のスライド溝３１と握り手２内壁のスライドレールを組合せ、キャップ３の上部に通孔３２を形成し、通孔３２の片壁には勾孔３３、勾孔３３の反対側には切り口３４及びラッチ溝３５を形成し、更にキャップ内部には瓶蓋接合面３６及び斜面３７を設ける。栓抜き部４は、キャップ内に組合せ、駆動部４０と抜栓部４１を枢軸４００を枢孔４０１に通し組み合わせる。駆動部４０の一端の先端部４０２を握り手２内の仕切壁２０底部へ添え、また駆動部４０上面には、ばねフック４０３を設け、ばね４２の一端を係合し、ばね４２の他端はキャップ３の勾孔３３へ通し、その抜栓部４１と駆動部４０の組合せてキャップ３内の通孔３２へ設置する。抜栓部４１下方にはフック４１１を設け、瓶蓋Ａを係合する。更に、抜栓部４１内には小ばね４１２を設置し、一端は抜栓部４１へ連結、他端はキャップ３内の内壁へ固定して、これにより抜栓部４１が未駆動時に瓶蓋Ａ側へ圧力を維持させる。
【０００７】
組立時、図２、図３に示すように、先ず、栓抜き部４の抜栓部４１と駆動部４０を組合せ、抜栓部４１をキャップ３の通孔３２内へ設置する。そして駆動部４０をキャップ３の切り口へ通し、枢孔４０１へ通した枢軸４００をキャップ３のラッチ溝３５へ装着、ばね４２の一端は駆動部４０上のフック４０３へ掛け、もう一端をキャップ３の勾孔３３へ通し、栓抜き部４をキャップ３内へ定位させる。キャップ３のスライド溝３１を握り手２内壁のスライドレール２１へ組み込み、握り手２の下環蓋２３を握り手２の底へ固定、よってキャップ３の係止部３０は下環蓋２３の係止縁２３０上へ組み込まれる。そして、栓抜き部４の駆動部４０先端部４０２は握り手２の仕切壁２０底部へ固定される。
【０００８】
操作時、図３、４に示すように、片手で握り手２を握り開栓したい瓶蓋Ａ上にあて、瓶蓋Ａをキャップ３内部の瓶蓋接合面３６及び斜面３７へ押し当て、握り手２を下方へ押すと、仕切壁２０にて駆動部４０を押し下げ、駆動部４０はラッチ溝３５内の枢軸４００にて連動する抜栓部４１を押し上げ、栓抜き４の抜栓部４１のフック４１１を瓶蓋Ａに係合してフック４１１は瓶蓋Ａを開栓する。
【０００９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１０】
【図１】公知の栓抜きの立体図である。
【図２】本考案の栓抜きの分解図である。
【図３】本考案の栓抜きの断面図である。
【図４】本考案の栓抜きの操作参考図である。
【符号の説明】
【００１１】
１ 栓抜き
１１ 先端
２ 握り手
２０ 仕切壁
２１ スライドレール
２２ 上蓋
２３ 下環蓋
２３０ 係止縁
３ キャップ
３０ 係止部
３１ スライド溝
３２ 通孔
３３ 勾孔
３４ 切り口
３５ ラッチ溝
３６ 瓶蓋接合面
３７ 斜面
４ 栓抜き部
４０ 駆動部
４００ 枢軸
４０１ 枢孔
４０２ 先端部
４０３ ばねフック
４１ 抜栓部
４１０ 枢孔
４１１ フック部
４１２ 小ばね
４２ ばね
Ａ 瓶蓋
【図１】
0003116847.tif 000003
【図２】
0003116847.tif 000004
【図３】
0003116847.tif 000005
【図４】
0003116847.tif 000006